(57)【要約】【課題】電子ＰＯＰ装置を設置する店舗側、商品広告を行うメーカ側の双方に高いメリットがある商品広告システムを実現する。【解決手段】複数の情報入力装置１０と、電子ＰＯＰサーバ２０と、表示部を複数のエリアに分割した各分割表示エリアＡに、異なる商品広告情報を表示する電子ＰＯＰ装置４０と、が接続された商品広告システムＳＹである。電子ＰＯＰサーバ２０は、所定の広告時間帯ごとに分割パターンを設定しておく。複数の情報入力装置１０は、商品広告情報の表示を希望する広告時間帯および入札額を含む入札内容を入力する。電子ＰＯＰサーバ２０は、複数の情報入力装置１０から取得した複数の入札内容に基づいて、入札額の高い順に、分割パターンによって区分された各広告枠に表示する商品広告情報を決定する。また、その決定に基づいて、タイムスケジュールを生成し、電子ＰＯＰ装置４０に送信する。【選択図】図１
2009294290.tif 000002
【特許請求の範囲】
【請求項１】
表示部を所定の分割パターンに応じて分割した各分割表示エリアに、それぞれ異なる商
品広告情報の表示データを表示する電子ＰＯＰ装置と、
前記電子ＰＯＰ装置を管理する電子ＰＯＰサーバと、
前記商品広告情報の広告権に関するオークションに入札する複数の情報入力装置と、が
ネットワークを介して接続された商品広告システムであって、
前記情報入力装置は、
少なくとも、前記商品広告情報の表示を希望する広告時間帯および入札額を含む入札内
容を入力する入札内容入力部を備え、
前記電子ＰＯＰサーバは、
所定の広告時間帯ごとに前記分割パターンを設定する分割パターン設定部と、
前記複数の情報入力装置により入力された複数の入札内容を取得する入札内容取得部と
、
取得した前記複数の入札内容に基づいて、前記入札額の高い順に、前記分割パターンに
よって区分された前記各分割表示エリアである各広告枠に表示する前記商品広告情報を決
定する商品広告情報決定部と、
前記商品広告情報決定部の決定結果に基づいて、前記電子ＰＯＰ装置で前記商品広告情
報を表示するためのタイムスケジュールを生成するタイムスケジュール生成部と、
生成した前記タイムスケジュールと、当該タイムスケジュールで指定された前記商品広
告情報の表示データと、前記分割パターン設定部により設定された分割パターンデータと
、を前記電子ＰＯＰ装置に送信するデータ送信部と、を備え、
前記電子ＰＯＰ装置は、
前記電子ＰＯＰサーバから前記タイムスケジュールおよび前記表示データ、並びに前記
分割パターンデータを受信するデータ受信部と、
表示部と、
前記タイムスケジュールおよび前記分割パターンデータにしたがって、前記各分割表示
エリアにそれぞれ異なる前記商品広告情報の表示データを表示する表示制御部と、を備え
たことを特徴とする商品広告システム。
【請求項２】
前記電子ＰＯＰサーバは、
入札期間中に、少なくとも前記各広告枠の現在時点における落札額を示す入札経過情報
を前記情報入力装置に通知する入札経過情報通知部をさらに備えたことを特徴とする請求
項１に記載の商品広告システム。
【請求項３】
前記電子ＰＯＰサーバは、
前記各広告枠の中から、所定の情報を表示するための特定枠を１以上設定する特定枠設
定部をさらに備え、
前記商品広告情報決定部は、前記特定枠以外の前記広告枠に表示する前記商品広告情報
を決定することを特徴とする請求項１または２に記載の商品広告システム。
【請求項４】
前記電子ＰＯＰサーバは、
前記商品広告情報決定部の決定に基づいて、落札額に基づく請求額を算出する請求額算
出部と、
算出した請求額を、前記各広告枠の広告権を落札した前記情報入力装置に通知する請求
額通知部と、
通知した前記請求額の入金を確認する入金確認部と、を備え、
前記タイムスケジュール生成部は、前記入金確認部により入金を確認した広告枠を対象
として前記タイムスケジュールを生成することを特徴とする請求項１ないし３のいずれか
１項に記載の商品広告システム。
【請求項５】
前記電子ＰＯＰ装置は、
前記各分割表示エリアの中からいずれか１の分割表示エリアが指定されることに伴い、
当該分割表示エリアに表示されている前記商品広告情報に対応する商品のクーポンを発行
するクーポン発行部をさらに備え、
前記入札内容入力部は、前記入札内容として、前記クーポンの発行の要否をさらに入力
し、
前記電子ＰＯＰサーバの前記データ送信部は、前記クーポンを発行するための印刷デー
タを、前記電子ＰＯＰ装置に送信することを特徴とする請求項１ないし４のいずれか１項
に記載の商品広告システム。
【請求項６】
通信回線を介して、商品広告情報の表示データ、前記商品広告情報を表示するためのタ
イムスケジュール並びに所定の広告時間帯ごとの分割パターンデータを受信するデータ受
信部と、
前記データ受信部から受信した前記表示データまたは所定の広告情報を表示する表示部
と、
前記タイムスケジュールおよび前記分割パターンデータにしたがって、前記表示部を所
定の分割パターンに応じて分割した各分割表示エリアにそれぞれ異なる前記商品広告情報
の表示データを表示する表示制御部と、
前記各分割表示エリアに表示されている前記商品広告情報に対応する音声データを出力
する音声出力部と、を備えたことを特徴とする電子ＰＯＰ装置。
【請求項７】
前記各分割表示エリアの中からいずれか１の分割表示エリアが指定されることに伴い、
当該分割表示エリアに表示されている前記商品広告情報に対応する商品のクーポンを発行
するクーポン発行部をさらに備えたことを特徴とする請求項６に記載の電子ＰＯＰ装置。
【請求項８】
表示部を所定の分割パターンに応じて分割した各分割表示エリアに、それぞれ異なる前
記商品広告情報を表示する電子ＰＯＰ装置と、
電子ＰＯＰサーバと、
複数の情報入力装置と、がネットワークを介して接続された商品広告システムの制御方
法であって、
前記電子ＰＯＰサーバが、所定の広告時間帯ごとに前記分割パターンを設定し、その分
割パターンデータを前記電子ＰＯＰ装置に送信するステップ、
前記複数の情報入力装置が、前記商品広告情報の表示を希望する広告時間帯および入札
額を含む入札内容を入力するステップ、
前記電子ＰＯＰサーバが、前記複数の情報入力装置から取得した複数の入札内容に基づ
いて、前記入札額の高い順に、前記分割パターンによって区分された前記各分割表示エリ
アである各広告枠に表示する前記商品広告情報を決定するステップ、
前記商品広告情報の決定に基づいて、前記各広告枠に前記商品広告情報を表示するため
のタイムスケジュールを生成し、前記電子ＰＯＰ装置に送信するステップ、
前記電子ＰＯＰ装置が、前記電子ＰＯＰサーバから受信した前記タイムスケジュールお
よび前記分割パターンデータにしたがって、前記商品広告情報を表示するステップ、を実
行することを特徴とする商品広告システムの制御方法。
【請求項９】
コンピュータに、請求項８に記載の商品広告システムの制御方法における各ステップを
実行させるためのプログラム。
【発明の詳細な説明】
【技術分野】
【０００１】
電子ＰＯＰ装置を用いて商品広告を行う商品広告システム、電子ＰＯＰ装置、商品広告
システムの制御方法およびそのプログラムに関する。
【背景技術】
【０００２】
従来、スーパーなどの店舗において、商品の近くに設置され、当該商品に関する商品広
告情報を表示する電子ＰＯＰ装置が知られている（例えば、特許文献１）。一般的に、こ
の種の電子ＰＯＰ装置は、メーカ（ブランド）が作成した幾つかの映像（静止画や動画）
を、繰り返し表示する。
【特許文献１】特開２００１−６７５５１号公報
【発明の開示】
【発明が解決しようとする課題】
【０００３】
ところで、電子ＰＯＰ装置は、店舗側が購入するのではなく、メーカによって提供され
ることも多い。当然この場合は、１台の電子ＰＯＰ装置につき、一社のメーカの商品広告
が表示されることとなり、結果的に同じ映像が繰り返し表示される。このため、顧客に飽
きを感じさせ、十分な広告効果が得られないといった問題があった。
【０００４】
また、商品によっては、ある限られた時間帯に効果的な売込みを行いたいものがある。
例えば、昼食前や夕食前の時間帯には、食材や惣菜など多数の商品の売り込みを行いたい
が、従来の電子ＰＯＰ装置では、同時に複数メーカの異なる商品の商品広告を表示するこ
とができなかった。
【０００５】
そこで、複数台の電子ＰＯＰ装置を並べて設置することにより、複数メーカの異なる商
品の商品広告を実現することも可能であるが、店舗側にとっては設置スペースの問題があ
り、メーカ側にとっては複数台の電子ＰＯＰ装置の提供が条件となるなど、商品広告に要
するコストが嵩むといった問題がある。このように、顧客を飽きさせることなく、しかも
限られた広告時間帯に多数の商品の商品広告を行うことができる商品広告システムの実現
は、非常に困難であった。
【０００６】
本発明は、このような問題点に鑑み、電子ＰＯＰ装置を設置する店舗側、および商品広
告を行うメーカ側の双方にメリットがあり、しかも高い広告効果を得ることができる商品
広告システム、電子ＰＯＰ装置、商品広告システムの制御方法およびそのプログラムを提
供することを目的とする。
【課題を解決するための手段】
【０００７】
本発明の商品広告システムは、表示部を所定の分割パターンに応じて分割した各分割表
示エリアに、それぞれ異なる商品広告情報の表示データを表示する電子ＰＯＰ装置と、電
子ＰＯＰ装置を管理する電子ＰＯＰサーバと、商品広告情報の広告権に関するオークショ
ンに入札する複数の情報入力装置と、がネットワークを介して接続された商品広告システ
ムであって、情報入力装置は、少なくとも、商品広告情報の表示を希望する広告時間帯お
よび入札額を含む入札内容を入力する入札内容入力部を備え、電子ＰＯＰサーバは、所定
の広告時間帯ごとに分割パターンを設定する分割パターン設定部と、複数の情報入力装置
により入力された複数の入札内容を取得する入札内容取得部と、取得した複数の入札内容
に基づいて、入札額の高い順に、分割パターンによって区分された各分割表示エリアであ
る各広告枠に表示する商品広告情報を決定する商品広告情報決定部と、商品広告情報決定
部の決定結果に基づいて、電子ＰＯＰ装置で商品広告情報を表示するためのタイムスケジ
ュールを生成するタイムスケジュール生成部と、生成したタイムスケジュールと、当該タ
イムスケジュールで指定された商品広告情報の表示データと、分割パターン設定部により
設定された分割パターンデータと、を電子ＰＯＰ装置に送信するデータ送信部と、を備え
、電子ＰＯＰ装置は、電子ＰＯＰサーバからタイムスケジュールおよび表示データ、並び
に分割パターンデータを受信するデータ受信部と、表示部と、タイムスケジュールおよび
分割パターンデータにしたがって、各分割表示エリアにそれぞれ異なる商品広告情報の表
示データを表示する表示制御部と、を備えたことを特徴とする。
【０００８】
本発明の商品広告システムの制御方法は、表示部を所定の分割パターンに応じて分割し
た各分割表示エリアに、それぞれ異なる商品広告情報を表示する電子ＰＯＰ装置と、電子
ＰＯＰサーバと、複数の情報入力装置と、がネットワークを介して接続された商品広告シ
ステムの制御方法であって、電子ＰＯＰサーバが、所定の広告時間帯ごとに分割パターン
を設定し、その分割パターンデータを電子ＰＯＰ装置に送信するステップ、複数の情報入
力装置が、商品広告情報の表示を希望する広告時間帯および入札額を含む入札内容を入力
するステップ、電子ＰＯＰサーバが、複数の情報入力装置から取得した複数の入札内容に
基づいて、入札額の高い順に、分割パターンによって区分された各分割表示エリアである
各広告枠に表示する商品広告情報を決定するステップ、商品広告情報の決定に基づいて、
各広告枠に商品広告情報を表示するためのタイムスケジュールを生成し、電子ＰＯＰ装置
に送信するステップ、電子ＰＯＰ装置が、電子ＰＯＰサーバから受信したタイムスケジュ
ールおよび分割パターンデータにしたがって、商品広告情報を表示するステップ、を実行
することを特徴とする。
【０００９】
これらの構成によれば、電子ＰＯＰ装置は、表示部を所定の分割パターンに応じて分割
した複数の分割表示エリアを有しているため、同時に複数の商品広告情報を表示すること
ができる。これにより、顧客の関心を惹き、飽きさせることがないため、高い広告効果を
得ることができる。さらに、商品広告を提供するメーカ側が、情報入力装置によって、商
品広告情報を表示する広告時間帯および入札額といった簡単な入札内容を入力することに
より、電子ＰＯＰサーバが各広告枠に表示する商品広告情報をオークション方式で決定す
るため、メーカ側にとっては、簡単な手続で商品広告を行うことができるといったメリッ
トがある。また、電子ＰＯＰ装置を設置する店舗側にとっては、各広告枠の広告権をでき
るだけ高額な入札額でメーカ側に販売できると共に、分割表示エリアが固定されていない
（入札内容に分割表示エリアの指定が無い）ため空き枠の発生を少なくすることができ、
結果的に高い広告収入を得ることができるといったメリットがある。
【００１０】
上記に記載の商品広告システムにおいて、電子ＰＯＰサーバは、入札期間中に、少なく
とも各広告枠の現在時点における落札額を示す入札経過情報を情報入力装置に通知する入
札経過情報通知部をさらに備えたことが好ましい。
【００１１】
この構成によれば、情報入力装置において、入札期間中に入札経過情報を確認すること
ができるため、広告権を落札できそうか否か、またどの広告枠を落札できそうかについて
把握することができる。これにより、入札を行うメーカ側にとっては、入札額を上げるべ
きか、または広告権の取得を諦めるべきかを判断することができる。また、店舗側にとっ
ては、入札額を競わせることができるため、より高い広告収入を得ることができるといっ
たメリットがある。
【００１２】
上記に記載の商品広告システムにおいて、電子ＰＯＰサーバは、各広告枠の中から、所
定の情報を表示するための特定枠を１以上設定する特定枠設定部をさらに備え、商品広告
情報決定部は、特定枠以外の広告枠に表示する商品広告情報を決定することが好ましい。
【００１３】
この構成によれば、店舗側や、電子ＰＯＰ装置を管理する管理会社側のニーズに応じて
、特定枠を確保することができるため、当該特定枠に、店舗情報や、管理会社の広告情報
などを表示させることができる。
【００１４】
上記に記載の商品広告システムにおいて、電子ＰＯＰサーバは、商品広告情報決定部の
決定に基づいて、落札額に基づく請求額を算出する請求額算出部と、算出した請求額を、
各広告枠の広告権を落札した情報入力装置に通知する請求額通知部と、通知した請求額の
入金を確認する入金確認部と、を備え、タイムスケジュール生成部は、入金確認部により
入金を確認した広告枠を対象としてタイムスケジュールを生成することが好ましい。
【００１５】
この構成によれば、広告権を取得するための入札（入札内容の入力）から、落札額の決
定（請求額の算出）、タイムスケジュールの生成、商品広告情報の表示までの一連の処理
を、人の手を介さずに行い得るビジネスモデルを実現できる。また、入金を確認した広告
枠を対象としてタイムスケジュールを生成するため、商品広告を行ったにも関わらずその
広告額を回収できないといった広告額未回収の問題がない。
なお、請求額は、広告権の入札額に相当する落札額と同額であっても良いし、落札額に
所定料金を付加した額や所定の割引を行った額であっても良い。
【００１６】
上記に記載の商品広告システムにおいて、電子ＰＯＰ装置は、各分割表示エリアの中か
らいずれか１の分割表示エリアが指定されることに伴い、当該分割表示エリアに表示され
ている商品広告情報に対応する商品のクーポンを発行するクーポン発行部をさらに備え、
入札内容入力部は、入札内容として、クーポンの発行の要否をさらに入力し、電子ＰＯＰ
サーバのデータ送信部は、クーポンを発行するための印刷データを、電子ＰＯＰ装置に送
信することが好ましい。
【００１７】
この構成によれば、商品広告に連動してクーポンを発行することができるため、顧客の
関心を惹くことができ、より高い広告効果を得ることができる。また、クーポン発行枚数
などの情報を記憶しておくことで、その商品広告情報がどの程度の反響（広告効果）があ
ったかを知るための指標とすることができる。
【００１８】
本発明の電子ＰＯＰ装置は、通信回線を介して、商品広告情報の表示データ、商品広告
情報を表示するためのタイムスケジュール並びに所定の広告時間帯ごとの分割パターンデ
ータを受信するデータ受信部と、データ受信部から受信した表示データまたは所定の広告
情報を表示する表示部と、タイムスケジュールおよび分割パターンデータにしたがって、
表示部を所定の分割パターンに応じて分割した各分割表示エリアにそれぞれ異なる商品広
告情報の表示データを表示する表示制御部と、各分割表示エリアに表示されている商品広
告情報に対応する音声データを出力する音声出力部と、を備えたことを特徴とする。
【００１９】
この構成によれば、表示部を所定の分割パターンに応じて分割した複数の分割表示エリ
アを有しているため、同時に複数の商品広告情報を表示することができる。これにより、
顧客の関心を惹き、飽きさせることがないため、高い広告効果を得ることができる。
【００２０】
上記に記載の電子ＰＯＰ装置において、各分割表示エリアの中からいずれか１の分割表
示エリアが指定されることに伴い、当該分割表示エリアに表示されている商品広告情報に
対応する商品のクーポンを発行するクーポン発行部をさらに備えたことが好ましい。
【００２１】
この構成によれば、商品広告に連動してクーポンを発行することができるため、顧客の
関心を惹くことができ、より高い広告効果を得ることができる。また、クーポン発行枚数
などの情報を記憶しておくことで、その商品広告情報がどの程度の反響があったかを知る
ための指標とすることができる。
【００２２】
本発明のプログラムは、コンピュータに、上記に記載の商品広告システムの制御方法に
おける各ステップを実行させるためのものであることを特徴とする。
【００２３】
このプログラムを用いることにより、電子ＰＯＰ装置を設置する店舗側、および商品広
告を行うメーカ側の双方にメリットがあり、しかも高い広告効果を得ることができる商品
広告システムを実現することができる。
【発明を実施するための最良の形態】
【００２４】
以下、添付した図面を参照して、本発明の一実施形態に係る商品広告システム、電子Ｐ
ＯＰ装置、商品広告システムの制御方法およびそのプログラムについて説明する。図１は
、商品広告システムＳＹのシステム構成図である。同図に示すように、商品広告システム
ＳＹは、メーカなど商品広告を提供する者が広告権の入札を行うための複数台（図示では
、２台）の情報入力装置１０と、プロバイダなど電子ＰＯＰ装置４０に商品広告情報を配
信する者が管理する電子ＰＯＰサーバ２０と、店舗内に設置された複数台（図示では、３
台）の電子ＰＯＰ装置４０と、これらを統括管理する店舗サーバ３０と、を備えている。
【００２５】
複数の情報入力装置１０、電子ＰＯＰサーバ２０および店舗サーバ３０は、インターネ
ット等のネットワークＮＴを介して接続されている。図１では、１店舗の店舗サーバ３０
のみがネットワークＮＴに接続されているが、複数店舗の店舗サーバ３０を接続すること
も当然可能である。なお、情報入力装置１０、電子ＰＯＰサーバ２０および店舗サーバ３
０としては、キーボード（１１，２１）やディスプレイ（１２，２２）を有する、一般的
なパーソナルコンピュータを用いることができる。また、各電子ＰＯＰ装置４０は、その
表示領域が、所定の分割パターンに応じて分割され、当該各分割表示エリアＡにそれぞれ
異なる商品広告情報の表示データを表示できるようになっている。
【００２６】
各情報入力装置１０は、電子ＰＯＰ装置４０により商品広告情報の表示を希望する広告
時間帯および分割表示エリアＡ、並びに入札額を含む入札内容を入力する。電子ＰＯＰサ
ーバ２０は、所定の広告時間帯ごとに上記の分割パターンを設定しておく。また、情報入
力装置１０によって入力された広告時間帯等の入札内容に基づいて、入札額の高い順に、
広告時間帯且つ分割表示エリアＡによって区分された各広告枠に表示する商品広告情報を
決定する。つまり、情報入力装置１０は、分割表示エリアＡの指定はできないが、希望す
る広告時間帯の広告権に対するオークションに入札を行い、入札額の高い順に、注目度の
高い（広告効果の高い）分割表示エリアＡの広告権を取得することができる。また、電子
ＰＯＰサーバ２０は、この商品広告情報の決定に基づいて、各電子ＰＯＰ装置４０で商品
広告を行うためのタイムスケジュールを生成する。店舗サーバ３０は、電子ＰＯＰサーバ
２０が生成したタイムスケジュールおよび設定された分割パターンデータを取得し、店舗
内の各電子ＰＯＰ装置４０に提供する。各電子ＰＯＰ装置４０は、店舗サーバ３０から提
供されたタイムスケジュールおよび分割パターンデータに基づいて、商品広告情報を表示
する。
【００２７】
なお、各電子ＰＯＰ装置４０は、設置される売場に応じて分類されている。本実施形態
では、「電子ＰＯＰ装置Ａ」が惣菜コーナー、「電子ＰＯＰ装置Ｂ」が生鮮食品コーナー
、「電子ＰＯＰ装置Ｃ」が生活用品コーナーに設置されているものとする。また、各売場
は、商品カテゴリに準じて（商品カテゴリ別に）設けられているものとする。
【００２８】
次に、図２を参照し、電子ＰＯＰ装置４０の装置構成について説明する。図２は、電子
ＰＯＰ装置４０の外観斜視図である。電子ＰＯＰ装置４０は、ディスプレイ装置４７と、
当該ディスプレイ装置４７を支持固定する装置本体４９と、から成る。
【００２９】
ディスプレイ装置４７は、有機ＥＬディスプレイ等のディスプレイ４１を有している。
上記の通り、ディスプレイ４１の表示領域は、所定の分割パターンに応じて分割されてお
り、各分割表示エリアＡには、それぞれ異なる商品広告情報が表示される。同図の例では
、商品広告情報として、商品（牛乳パック等）の画像、商品名および商品の説明を表示し
ている。なお、商品広告情報は、静止画像であっても、動画像であっても良い。また、各
商品広告情報には、これら表示データの他に音声データが付加されており、これらを表示
・音声出力するためのデータを総称して、以下「商品広告映像ファイル」と称する。
【００３０】
また、ディスプレイ４１には、タッチパネル４２が重畳されている。タッチパネル４２
は、ディスプレイ４１の表示領域の略全域を覆うマトリクススイッチで構成され、指等の
接触（タッチ）によってオン、オフ情報を取得する。このオン、オフ情報により、ユーザ
による指等のタッチを検出する。つまり、ユーザは、当該タッチパネル４２へのタッチに
よって各種操作を行う。例えば、分割表示エリアＡ１をタッチすると、後述するクーポン
発行用プリンタ４５により、分割表示エリアＡ１上の商品広告情報に対応するクーポンＣ
が発行される。
【００３１】
一方、装置本体４９には、各種設定を行うための設定ボタン４３と、音声を出力するス
ピーカ４４と、を備えている。また、装置本体４９の底部には、電子ＰＯＰ装置４０を移
動可能とするための４つのローラ４８が設けられている。さらに、装置本体４９には、ク
ーポンＣを印刷・発行するクーポン発行用プリンタ４５が接続されている。設定ボタン４
３は、電子ＰＯＰ装置４０の各種設定を行なう設定画面を表示させるための操作子である
。ユーザは、設定ボタン４３を押してディスプレイ４１上に設定画面を表示させ、タッチ
パネル４２を操作することで各種設定（後述する店舗情報の設定など）を行うことができ
る。
【００３２】
スピーカ４４は、上記の商品広告映像ファイルに基づいて、各商品広告情報に対応する
音声データを出力する。通常時は、６つの分割表示エリアＡ１〜Ａ６の中の予め指定され
たメインエリアである分割表示エリアＡ１に表示されている商品広告情報に対応する音声
データを出力する。また、各分割表示エリアＡのうちいずれかがタッチされた場合は、音
声出力を、そのタッチされた分割表示エリアＡに表示されている商品広告情報に対応する
音声データに切り替える。
【００３３】
クーポン発行用プリンタ４５は、箱型の筐体内に、ロール状に巻回されたレシート用紙
を収容する用紙収容部、レシート用紙を搬送する用紙搬送部、レシート用紙上に印刷デー
タを印刷する印刷ヘッドを内蔵している（いずれも図示省略）。また、筐体前面に、印刷
済みのレシート用紙（クーポンＣ）を排出する排出口４６を有している。当該排出口４６
にはクーポンＣの切断に利用される切断歯が設けられている。顧客は、排出口４６から排
出された印刷済みのレシート用紙を、切断歯を利用して切り取り、クーポンＣを取得する
。なお、クーポンＣの印刷に要する印刷データを、以下「クーポン印刷ファイル」と称す
る。
【００３４】
次に、図３を参照し、電子ＰＯＰ装置４０の制御構成について説明する。同図は、電子
ＰＯＰ装置４０の制御ブロック図である。電子ＰＯＰ装置４０は、上記のとおり、ディス
プレイ４１、タッチパネル４２、設定ボタン４３およびスピーカ４４を備えていると共に
、クーポン発行用プリンタ４５と接続されている。その他、電子ＰＯＰ装置４０は、ＣＰ
Ｕ（Central Processing Unit）５１、ＲＯＭ（Read Only Memory）５２、ＲＡＭ（Rando
m Access Memory）５３、通信部５４およびタイマ５５を備えている。
【００３５】
ＣＰＵ５１は、中央処理装置であり、各種演算処理を行う。ＲＯＭ５２は、ＣＰＵ５１
が各種演算処理を行うための制御プログラムを記憶する。ＲＡＭ５３は、ＣＰＵ５１が各
種演算処理を行うためのワークエリアとして用いられる。なお、本実施形態では、ＲＡＭ
５３内に、商品広告情報を各広告枠に表示するためのタイムスケジュール、分割パターン
データ（広告時間帯ごとに設定された分割パターンを示すデータ）、商品広告映像ファイ
ルおよびクーポン印刷ファイルを、それぞれ記憶するための記憶領域が設けられている（
図示省略）。通信部５４は、店舗サーバ３０と無線通信を行なうためのものであり、主に
、タイムスケジュール、分割パターンデータ、商品広告映像ファイルおよびクーポン印刷
ファイルの受信、並びに電子ＰＯＰ装置４０の動作状態（エラーおよび動作履歴を含む）
の送信に用いられる。タイマ５５は、現在時刻を計時する。
【００３６】
次に、図４を参照し、商品広告システムＳＹの機能構成について説明する。同図は、商
品広告システムＳＹの機能ブロック図である。なお、店舗サーバ３０は、電子ＰＯＰサー
バ２０と電子ＰＯＰ装置４０との間で通信を行うための中継機器として主に用いられるも
のであるため、詳細な説明を省略する。
【００３７】
同図に示すように、情報入力装置１０は、機能構成として、入札内容入力部１１０、入
札経過情報表示部１２０、請求額表示部１３０および入金情報入力部１４０を備えている
。
【００３８】
入札内容入力部１１０は、キーボード１１（図１参照）等を用いて、各広告枠の広告権
を取得するための入札内容を入力するものである。入札内容としては、商品広告情報を表
示する広告時間帯、広告商品の商品カテゴリ、クーポン発行の有無および入札額等を入力
する。なお、本実施形態では、電子ＰＯＰサーバ２０が提供する入力フォーム（図８参照
）上に所定事項を記入／選択することで、上記の入札内容を入力するものとする。
【００３９】
入札経過情報表示部１２０は、入札期間中に、少なくとも各広告枠の現在時点における
落札額、すなわち上位入札額を示す入札経過情報をディスプレイ１２上に表示するもので
ある。当該表示も、電子ＰＯＰサーバ２０により提供される（図９参照）。請求額表示部
１３０は、入札内容に含まれる入札額（落札額）に基づいて算出された請求額をディスプ
レイ１２上に表示するものである。当該表示も、電子ＰＯＰサーバ２０により提供される
（図１０（ａ）参照）。入金情報入力部１４０は、キーボード１１等を用いて、電子ＰＯ
Ｐサーバ２０から提示された請求額に対する入金情報を入力するものである（図１０（ａ
）参照）。
【００４０】
続いて、電子ＰＯＰサーバ２０の機能構成を説明する。電子ＰＯＰサーバ２０は、分割
パターン設定部２００、特定枠設定部２１０、入札内容取得部２２０、対象装置決定部２
３０、入札経過情報通知部２４０、請求額算出部２５０、請求額通知部２６０、入金確認
部２７０、商品広告映像ファイル記憶部２８０、商品広告情報決定部２９０、タイムスケ
ジュール生成部３１０、タイムスケジュール記憶部３２０、クーポン印刷ファイル記憶部
３３０およびデータ送信部３４０を備えている。
【００４１】
分割パターン設定部２００は、キーボード２１等を用いて、商品カテゴリごと且つ広告
時間帯ごとに、電子ＰＯＰ装置４０のディスプレイ４１上における分割パターンを設定す
るものである。図５は、広告時間帯によって変化する表示パターンを示したものである。
同図の例は、広告時間帯（１）において６つの分割表示エリアＡに分割する分割パターン
が設定され、広告時間帯（２）において４つの分割表示エリアＡに分割する分割パターン
が設定された場合を示している。また、広告時間帯（３）と、広告時間帯（４）において
は、いずれも３つの分割表示エリアＡを表示しているが、その分割パターン（各分割表示
エリアＡの大きさおよび形状）は異なる。また、同図に示すように、各広告時間帯におい
て各分割表示エリアＡには、エリア番号が付されており、この番号は注目度が高いと考え
られる順序に従っている。例えば、広告時間帯（１）においては、エリア番号１の分割表
示エリアＡが、他の分割表示エリアＡに比べて表示面積が広いため、最も注目度が高いと
考えられる。また、エリア番号２の分割表示エリアＡとエリア番号３の分割表示エリアＡ
の表示面積は同じであるが、Ｚの法則（人間の目線は、左から右、右から左下、左下から
右下と動くことに基づき、広告正面に対してＺとなるような配置で、商品広告情報を表示
すると広告効果があるという法則）やＦの法則（人間の目線は、ホームページなどを見る
場合、まず上部を左から右、次に左側を上から下、次に中央部と目が動くことに基づき、
広告正面に対してＦとなるような配置で、商品広告情報を表示すると広告効果があるとい
う法則）により、注目度が高いと考えられる右上のエリア（エリア番号２）の方が早い番
号となっている。
【００４２】
このように、電子ＰＯＰサーバ２０では、広告時間帯ごとに分割パターンを設定可能と
なっているため、例えば食事前の広告時間帯における商品カテゴリ「惣菜」などは、分割
数の多い分割パターンに設定することで、多くの商品広告を行うことができ、店舗側によ
っては広告収入の増加が期待できる。逆に、深夜帯における商品カテゴリ「生鮮食品」な
どは、メーカ側の希望が少ないと考えられるため、分割数の少ない分割パターンに設定す
ることで、商品広告情報が表示されない（未登録の）分割表示エリアＡの数を少なくする
ことができる。
【００４３】
特定枠設定部２１０は、キーボード２１等を用いて、商品カテゴリごと且つ広告時間帯
ごとに、各広告枠（各分割表示エリアＡ）の中から、予め定められた所定の情報を表示す
るための特定枠ＡＰを設定するものである。例えば、図５に示した広告時間帯（１）の例
においては、エリア番号５およびエリア番号６の分割表示エリアＡが、店舗表示領域とな
っている。つまり、エリア番号５およびエリア番号６の分割表示エリアＡが、店舗情報（
イベント情報や休店日などの情報）を表示するための領域として予め確保されていること
を示している。この店舗表示領域には、予め電子ＰＯＰ装置４０内に設定・記憶されてい
る店舗情報（表示データおよび音声データ）を表示・出力する。なお、広告時間帯（３）
および（４）の例のように、必ずしも特定枠ＡＰを設けなくても良い。また、電子ＰＯＰ
装置４０内に記憶されている店舗情報に代えて、電子ＰＯＰサーバ２０が送信する所定の
広告情報（オークション対象とならない広告情報）を、特定枠ＡＰに表示しても良い。
【００４４】
入札内容取得部２２０は、情報入力装置１０の入札内容入力部１１０により入力された
入札内容を取得するものである。対象装置決定部２３０は、入札内容取得部２２０が取得
した入札内容に基づいて、商品広告を行う（タイムスケジュールの送信対象となる）１台
以上の電子ＰＯＰ装置４０を決定するものである。上記の通り、電子ＰＯＰサーバ２０は
、図１に示した３台の電子ＰＯＰ装置４０以外にも、他店および他地域に設置された多数
の電子ＰＯＰ装置４０を管理している。したがって、これら多数の電子ＰＯＰ装置４０の
中から、「広告地域」、「広告店舗」、「広告期間」等の入札条件に基づいて、広告対象
となる１台以上の電子ＰＯＰ装置４０を決定する。さらに、対象装置決定部２３０は、入
札条件に含まれる「商品カテゴリ」によっても、広告対象を制限する。例えば、対象装置
決定部２３０は、入札条件に含まれる「商品カテゴリ」が「惣菜」の場合、商品広告を行
うべき売場を「惣菜コーナー」と特定し、当該売場に分類される「電子ＰＯＰ装置Ａ」を
、広告対象として決定する（図１参照）。
【００４５】
入札経過情報通知部２４０は、入札内容取得部２２０の取得結果から得られる各広告枠
の現在時点における落札額を示す入札経過情報を情報入力装置１０に通知するものである
。本実施形態では、対象装置決定部２３０により広告対象として決定した電子ＰＯＰ装置
４０の入札経過情報を通知する（図９参照）。
【００４６】
請求額算出部２５０は、後述する商品広告情報決定部２９０の決定に基づいて、落札額
に基づく請求額を算出するものである。具体的には、広告権の入札額に相当する落札額に
、「広告地域」や「クーポン発行（クーポン発行の有無）」等の入札条件をパラメータと
した所定の算出アルゴリズムに基づいて、請求額を算出する。請求額通知部２６０は、請
求額算出部２５０で算出した請求額を情報入力装置１０に通知するものである（図１０（
ａ）参照）。
【００４７】
入金確認部２７０は、請求額通知部２６０による請求額の通知後、情報入力装置１０か
らの請求額の入金を確認するものである。本実施形態では、クレジットカード情報の入力
（図１０（ａ）参照）と、その認証結果の取得（クレジットカード認証サーバ（図示省略
）から取得する）とによって、請求額の入金を確認する。
【００４８】
商品広告映像ファイル記憶部２８０は、複数の商品広告映像ファイルを記憶している。
当該商品広告映像ファイル記憶部２８０には、情報入力装置１０から取得した各商品広告
映像ファイル（音声データも含む）を、それぞれ所定のＵＲＬ（Uniform Resource Locat
or）に記憶している。
【００４９】
商品広告情報決定部２９０は、入札内容取得部２２０により取得した複数の入札内容に
基づいて、入札額の高い順に、電子ＰＯＰ装置４０ごと且つ広告時間帯ごと且つ分割表示
エリアＡごとに区分された各広告枠に表示する商品広告情報を決定するものである。但し
、特定枠設定部２１０により設定された特定枠ＡＰを除く広告枠を対象とする。また、対
象装置決定部２３０により広告対象として決定した電子ＰＯＰ装置４０の広告枠を対象と
して、また分割パターン設定部２００により予め設定された分割パターン（分割表示エリ
ア数）に応じて、商品広告情報を決定する。なお、入札内容取得部２２０が、分割表示エ
リア数を下回る入札数しか取得していない場合は、優先順位の低い（エリア番号が大きい
）広告枠に、予め登録されている広告情報（例えば、電子ＰＯＰ広告募集の情報など）を
挿入する。
【００５０】
タイムスケジュール生成部３１０は、対象装置決定部２３０により広告対象として決定
した電子ＰＯＰ装置４０に、商品広告情報決定部２９０により決定された商品広告情報を
表示するためのタイムスケジュールを生成するものである。なお、タイムスケジュールの
生成は、入金確認部２７０により入金を確認した広告枠を対象とする。
【００５１】
図６は、タイムスケジュールの一例を示す図である。同図に示すように、タイムスケジ
ュールは、広告時間帯別に、エリア番号（分割表示エリアＡの位置）と、商品広告映像フ
ァイルのＵＲＬと、クーポン印刷ファイルのＵＲＬ（後述する）と、を関連付けて記憶し
たテーブルである。同図の例は、広告時間帯「８：００〜１０：００」が、４分割パター
ンに設定され、広告時間帯「１０：００〜１２：００」が、６分割パターンに設定された
場合を示している。このタイムスケジュールは、対象装置決定部２３０により決定された
１以上の電子ＰＯＰ装置４０に対して、電子ＰＯＰ装置４０ごとに生成される。
【００５２】
タイムスケジュール記憶部３２０は、タイムスケジュール生成部３１０により生成され
た全ての電子ＰＯＰ装置４０のタイムスケジュールを記憶するデータベースである。クー
ポン印刷ファイル記憶部３３０は、クーポンＣを発行するための複数のクーポン印刷ファ
イルを記憶している。当該クーポン印刷ファイル記憶部３３０には、情報入力装置１０か
ら取得した各クーポン印刷ファイルを、それぞれ所定のＵＲＬ（Uniform Resource Locat
or）に記憶している。
【００５３】
データ送信部３４０は、タイムスケジュール生成部３１０により生成したタイムスケジ
ュールを、該当する電子ＰＯＰ装置４０に送信する。なお、タイムスケジュールには、分
割パターン設定部２００により設定された分割パターンデータを付帯して送信する。また
、その送信タイミングは、タイムスケジュール生成部３１０による生成終了直後であって
も良いし、電子ＰＯＰ装置４０から送信要求があったときでも良い。また、分割パターン
データの送信は、タイムスケジュールの送信とは別に、分割パターン設定部２００による
設定直後であっても良い。また、データ送信部３４０は、電子ＰＯＰ装置４０からの送信
要求（ＵＲＬの指定）に応じて、商品広告映像ファイル記憶部２８０から該当する商品広
告映像ファイルを読出し、電子ＰＯＰ装置４０に送信する。さらに、データ送信部３４０
は、電子ＰＯＰ装置４０からの送信要求（ＵＲＬの指定）に応じて、クーポン印刷ファイ
ル記憶部３３０から該当するクーポン印刷ファイルを読出し、電子ＰＯＰ装置４０に送信
する。なお、商品広告映像ファイルおよびクーポン印刷ファイルの送信は、タイムスケジ
ュールに付帯して（タイムスケジュールと同時に）送信するようにしても良い。
【００５４】
続いて、電子ＰＯＰ装置４０の機能構成を説明する。電子ＰＯＰ装置４０は、データ受
信部４１０、表示制御部４２０、表示部４３０およびクーポン発行部４４０を備えている
。
【００５５】
データ受信部４１０は、データ送信部３４０から送信された、タイムスケジュール、分
割パターンデータ、商品広告映像ファイルおよびクーポン印刷ファイルを、通信部５４を
介して受信するものである。なお、タイムスケジュールおよび分割パターンデータは、電
子ＰＯＰ装置４０によるタイムスケジュール生成終了直後に受信するものとする。また、
商品広告映像ファイルおよびクーポン印刷ファイルは、タイムスケジュールにしたがい、
その広告時間帯の前に、電子ＰＯＰサーバ２０に送信要求を出して受信するものとする。
【００５６】
表示制御部４２０は、データ受信部３４０により受信したタイムスケジュールおよび分
割パターンデータにしたがって、表示部４３０の表示制御を行うものである。表示部４３
０は、ディスプレイ４１によってその主要部が構成され、表示制御部４２０は、ＣＰＵ５
１によってその主要部が構成される。表示制御部４２０は、例えば、図６に示すタイムス
ケジュールを受信した場合、広告時間帯「８：００〜１０：００」の間は、表示部４３０
を６分割パターンに分割し（図５の広告時間帯（１）における分割パターン参照）、エリ
ア番号１（左上の分割表示エリアＡ）には、所定のＵＲＬ（http：//***/***/D001）から
読み出した商品広告映像ファイルに基づく映像（表示データ）を表示する。同様に、エリ
ア番号２〜６についても、タイムスケジュールに記述された各ＵＲＬの商品広告映像ファ
イルに基づく映像を表示する。また、分割パターンデータに基づいて、特定枠ＡＰが存在
すると判定した場合は、当該特定枠ＡＰに、予め電子ＰＯＰ装置４０内に記憶されている
店舗情報を表示する。
【００５７】
クーポン発行部４４０は、データ受信部４１０により受信したクーポン印刷ファイルを
、顧客のタッチパネル操作に基づいて印刷・発行するものであり、クーポン発行用プリン
タ４５によってその主要部が構成される。クーポン発行部４４０は、例えば、図６に示す
タイムスケジュールを受信した場合、広告時間帯「８：００〜１０：００」の間、タッチ
パネル４２のエリア番号１に相当するエリアがタッチされると、所定のＵＲＬ（http：//
***/***/P001）から読み出したクーポン印刷ファイルをレシート用紙に印刷する。また、
エリア番号２〜６については、タイムスケジュール上にクーポン印刷ファイルのＵＲＬが
記述されていない（クーポンＣ発行が指定されていない）ため、広告時間帯「８：００〜
１０：００」に、各エリア番号に相当するエリアがタッチされてもクーポンＣを発行しな
い。
【００５８】
なお、電子ＰＯＰ装置４０は、クーポン発行部４４０によるクーポン発行枚数などの情
報を電子ＰＯＰサーバ２０に通知することが好ましい。この構成によれば、その商品広告
情報がどの程度の反響（広告効果）があったかを知るための指標とすることができる。
【００５９】
次に、図７を参照し、商品広告システムＳＹの一連の流れを説明する。同図は、商品広
告システムＳＹの一連の流れを示すフローチャートである。ここでは、電子ＰＯＰサーバ
２０により電子ＰＯＰ装置４０の分割パターンが予め設定されているものとして説明する
。情報入力装置１０に入札内容が入力されると（Ｓ０１）、電子ＰＯＰサーバ２０は、こ
れを取得する（Ｓ０２）。なお、入札期間中（Ｓ０５までの間）は、情報入力装置１０の
操作により、電子ＰＯＰサーバ２０から入札経過情報を取得してディスプレイ１２上に表
示させ、入札経過を確認することが可能である。入札期間中、電子ＰＯＰサーバ２０は、
情報入力装置１０からの入札経過情報取得依頼にしたがって、入札内容取得部２２０の取
得状況を参照し、その参照結果である入札経過情報を情報入力装置１０に通知する。
【００６０】
所定の入札期間を終えると、電子ＰＯＰサーバ２０は、取得した１以上の入札内容に基
づいて、オークション形式で各広告枠に表示する商品広告情報を決定する（Ｓ０３）。ま
た、落札した入札内容に含まれる入札額に基づいて、請求額を算出し（Ｓ０４）、これを
情報入力装置１０に通知する（Ｓ０５）。情報入力装置１０は、当該請求額をディスプレ
イ１２上に表示して確認し（Ｓ０６）、入金情報を入力する（Ｓ０７）。電子ＰＯＰサー
バ２０は、入金情報の取得、およびクレジットカードの認証結果の取得によって入金を確
認する（Ｓ０８）。電子ＰＯＰサーバ２０は、この入金確認があった広告枠を対象として
、タイムスケジュールを生成し（Ｓ０９）、これを該当する電子ＰＯＰ装置４０に送信す
る（Ｓ１０）。
【００６１】
一方、電子ＰＯＰ装置４０は、電子ＰＯＰサーバ２０から送信されたタイムスケジュー
ル、およびこれに付加された分割パターンデータを受信し（Ｓ１１）、ＲＡＭ５３内の所
定領域に格納しておく。そして、広告時間帯の切り替えタイミングか否かを判別し（Ｓ１
２）、広告時間帯の切り替えタイミングとなった場合は（Ｓ１２：Ｙｅｓ）、商品広告映
像ファイルおよびクーポン印刷ファイルの送信要求を出して、これらを受信し（Ｓ１３）
、それぞれをＲＡＭ５３内の所定領域に格納しておく。なお、Ｓ１２における「広告時間
帯の切り替えタイミング」には、最初の広告開始時刻（本実施形態では「８：００」，図
６参照）も含まれる。また、電子ＰＯＰ装置４０の電源投入時に、最初の広告時間帯の商
品広告映像ファイルおよびクーポン印刷ファイルの送信要求を出すようにしても良い。
【００６２】
その後、電子ＰＯＰ装置４０は、タイムスケジュールおよび分割パターンデータにした
がって、ディスプレイ４１上に、商品広告映像ファイルに基づく商品広告情報を表示する
（Ｓ１４）。なお、特に図示しないが、商品広告情報の表示と共に、当該商品広告情報に
対応する音声データを出力する。また、タッチパネル４２が操作され、その操作位置が属
する分割表示エリアＡに対応するクーポン印刷ファイルが存在する場合は、クーポンＣを
発行する。
【００６３】
次に、図８ないし図１０に示す入力・表示フォームの一例を参照し、情報入力装置１０
における電子ＰＯＰ広告権の入札申込み操作について説明する。図８は、電子ＰＯＰ広告
権の入札申込み画面Ｄ１の一例を示す図、図９は、入札経過情報画面Ｄ２の一例を示す図
、図１０は、支払い画面Ｄ３および受付完了画面Ｄ４の一例を示す図である。図８に示す
ように、入札申込み画面Ｄ１は、依頼者情報入力欄６１、入札条件入力欄６２および添付
データ入力欄６３を有している。
【００６４】
依頼者情報入力欄６１は、商品広告を依頼（提供）するメーカ等の「会社名または氏名
」、「住所」、「電話番号」および「Ｅメールアドレス」の項目について入力可能となっ
ている。また、入札条件入力欄６２は、商品広告を行う「広告地域」、「広告店舗」、「
広告期間」、「商品カテゴリ」、「広告時間帯」、「クーポン発行」および「入札額」の
項目について入力可能となっている。
【００６５】
「広告地域」としては、複数の都市名候補の中からいずれか１の候補が選択される。ま
た、「広告店舗」としては、「広告地域」として選択された都市に存在する複数の店舗の
店舗名を候補として表示し、それらの中からいずれか１の候補が選択される。また、「広
告期間」としては、例えば１週間単位など、所定期間ごとに区切られた複数の広告期間候
補の中からいずれか１の候補が選択される。また、「商品カテゴリ」としては、「惣菜」
、「生鮮食品」、「生活雑貨」など複数の商品カテゴリの中からいずれか１の候補が選択
される。
【００６６】
また、「広告時間帯」としては、「８：００〜１０：００」、「１０：００〜１２：０
０」など、８：００〜２０：００を２時間単位で区切った６つの候補の中からいずれか１
の候補が選択される。また、「クーポン発行」としては、クーポン発行を必要とするか否
かについて選択される。ここで、「クーポン発行」が「必要」と選択された場合、当該申
込みに基づく商品広告情報が電子ＰＯＰ装置４０に表示され、その商品広告情報を表示す
る分割表示エリアＡがタッチされると、クーポンＣを発行する。したがって、この場合、
添付データ入力欄６３において、クーポン印刷ファイルの指定またはクーポン印刷テキス
トの入力が必要となる。また、「入札額」としては、例えば１００円単位など、所定金額
ごとに区切られた複数の金額候補の中からいずれか１の候補が選択される。
【００６７】
添付データ入力欄６３は、「商品広告映像ファイル」および「クーポン印刷ファイル」
の指定、または「商品広告映像テキスト」および「クーポン印刷テキスト」の入力が可能
となっている。つまり、商品広告関係については、商品広告情報として、添付した映像フ
ァイルを表示させるか、入札申込み画面Ｄ１で入力したテキスト情報を表示させるかを選
択可能となっている。クーポン関係についても同様である。
【００６８】
顧客により、入札申込み画面Ｄ１に表示した必要項目が入力された後、「キャンセル」
ボタン６６が押下された場合は、電子ＰＯＰ広告権の入札申込みを中止する。また、「確
認」ボタン６７が押下された場合は、入札条件が確定したものと看做して、電子ＰＯＰサ
ーバ２０に入札申込み内容が送信される。
【００６９】
次に、図９を参照し、入札状況を確認するため入札経過情報画面Ｄ２について説明する
。入札経過情報画面Ｄ２は、電子ＰＯＰサーバ２０が取得した複数の入札内容に基づいて
生成される画面であり、指定内容表示欄７１、分割表示パターン表示欄７２および上位入
札額表示欄７３を有している。
【００７０】
指定内容表示欄７１には、不図示の条件入力画面で入力された指定内容（「広告地域」
、「広告店舗」、「広告期間」、「商品カテゴリ」および「広告時間帯」の項目）を表示
する。なお、これら全てについて入力される必要はなく、いずれか１以上の項目が入力さ
れれば良い。ここでは、上記の全ての項目が入力され、それらの入力内容をａｎｄ条件と
して特定された電子ＰＯＰ装置４０の入札状況を、上位入札額表示欄７３に表示するもの
とする。なお、指定内容に該当する電子ＰＯＰ装置４０が複数存在して、それらの広告枠
が別入札される場合は、上位入札額表示欄７３に、複数の電子ＰＯＰ装置４０の入札状況
が表示される。また、ここでは、指定内容表示欄７１において、「商品カテゴリ：惣菜」
が入力されたものとする。
【００７１】
分割表示パターン表示欄７２は、電子ＰＯＰサーバ２０において、予め商品カテゴリご
と且つ広告時間帯ごとに設定されている分割表示パターンを表示する。ここでは、「商品
カテゴリ：惣菜」について、指定された広告時間帯に設定されている分割表示パターンを
表示している。
【００７２】
上位入札額表示欄７３は、広告対象となる電子ＰＯＰ装置４０（ここでは、電子ＰＯＰ
装置Ａ）について、上位入札額を入札した入札者のＩＤと、入札額と、入札日時と、を表
示している。ここでは、分割表示パターン表示欄７２に示すように、６つの分割表示エリ
アＡに分割されている広告時間帯における各広告枠の入札状況を示しているため、上位６
つの入札額が表示される。つまり、この入札経過情報の表示時点で、入札期間が終了した
場合は、指定内容表示欄７１に記載された「広告期間」および「広告時間帯」における電
子ＰＯＰ装置Ａの各広告枠（各分割表示エリアＡ）は、上位入札額表示欄７３に表示され
ている各入札者に、広告権が与えられる。
【００７３】
入札経過情報画面Ｄ２において、「条件入力画面へ」ボタン７５が押下された場合は、
不図示の条件入力画面に遷移する。また、「閉じる」ボタン７６が押下された場合は、入
札経過情報画面Ｄ２を閉じる。
【００７４】
図１０（ａ）は、自分の入札に対して広告権が落札できた場合に表示可能となる支払い
画面Ｄ３の一例を示す図である。当該支払い画面Ｄ３は、例えば電子ＰＯＰサーバ２０か
ら、落札成功を通知する電子メールが情報入力装置１０に送信され、当該電子メールに記
載されているＵＲＬに情報入力装置１０がアクセスすることによって表示可能である。な
お、電子ＰＯＰサーバ２０は、落札できなかった入札者（情報入力装置１０）に対しても
、その旨を通知する電子メールを送信することが好ましい。支払い画面Ｄ３は、請求額表
示欄８１および入金情報入力欄８２を有している。請求額表示欄８１は、請求額算出部２
５０（図４参照）で算出した請求額を表示する。また、入金情報入力欄８２は、「クレジ
ットカード番号」、「有効期限」および「支払い回数」の項目について入力可能となって
いる。
【００７５】
支払い画面Ｄ３において、「キャンセル」ボタン８３が押下された場合は、支払い処理
を中止する。この場合、広告権の入札は無効となる。また、入金情報入力欄８２の項目が
入力された後、「確認」ボタン８４が押下された場合は、図１０（ｂ）に示す受付完了画
面Ｄ４に遷移する。
【００７６】
受付完了画面Ｄ４は、受付番号表示欄８５および「タイムスケジュール確認」ボタン８
６を有している。受付番号表示欄８５は、電子ＰＯＰ広告権の入札申込みに対する受付番
号を表示している。また、「タイムスケジュール確認」ボタン８６が押下されると、入札
した広告枠を有する電子ＰＯＰ装置４０の一日分のタイムスケジュールを表示する。なお
、当該受付完了画面Ｄ４の表示によって、電子ＰＯＰ広告の申込み完了となる。また、顧
客により「閉じる」ボタン８７が押下されると、受付完了画面Ｄ４を閉じる。
【００７７】
以上説明したとおり、本実施形態の商品広告システムＳＹによれば、各電子ＰＯＰ装置
４０は、ディスプレイ４１を所定の分割パターンに応じて分割した複数の分割表示エリア
Ａを有しているため、同時に複数の商品広告情報を表示することができ、顧客を飽きさせ
ることがない。さらに、商品広告を提供するメーカ側が、情報入力装置１０によって、商
品広告情報を表示する広告時間帯および入札額といった簡単な入札内容を入力することに
より、電子ＰＯＰサーバ２０が各広告枠に表示する商品広告情報をオークション方式で決
定するため、メーカ側にとっては、簡単な手続で商品広告を行うことができるといったメ
リットがある。また、電子ＰＯＰ装置４０を設置する店舗側にとっては、各広告枠の広告
権をできるだけ高額な入札額でメーカ側に販売できると共に、分割表示エリアＡが固定さ
れていない（入札内容に分割表示エリアＡの指定が無い）ため空き枠の発生を少なくする
ことができ、結果的に高い広告収入を得ることができるといったメリットがある。
【００７８】
また、情報入力装置１０において、入札期間中に入札経過情報を確認することができる
ため、広告権を落札できそうか否か、またどの広告枠を落札できそうかについて入札者が
把握することができる。これにより、入札を行うメーカ側にとっては、入札額を上げるべ
きか、または広告権の取得を諦めるべきかを判断することができる。また、店舗側にとっ
ては、入札額を競わせることができるため、より高い広告収入を得ることができるといっ
たメリットがある。
【００７９】
また、電子ＰＯＰサーバ２０は、広告権を取得するための入札受付から、落札額の決定
（請求額の算出）、タイムスケジュールの生成、商品広告情報の表示指令までの一連の処
理を行うため、人の手を介さずに行い得るビジネスモデルを実現できる。つまり、人件費
を必要としないため、電子ＰＯＰサーバ２０の運営コストを抑えることができる。このよ
うに、商品広告を行う顧客、電子ＰＯＰサーバ２０を運営するプロバイダ、電子ＰＯＰ装
置４０を設置する店舗の全てにおいて、メリットが高いビジネスモデルを実現できる。
【００８０】
なお、上記の実施形態では、広告額の支払い方法として、クレジットカードによる支払
方法のみを記載したが、口座振替や電子マネーによる支払いなど、複数の支払方法の中か
らいずれかを選択できるようにしても良い。但し、これら口座振替や電子マネーによる支
払いが行われた場合も、タイムスケジュール生成部３１０は、入金の確認後に、タイムス
ケジュールを生成することが好ましい。
【００８１】
また、上記の実施形態では、電子ＰＯＰサーバ２０に分割パターン設定部２００や特定
枠設定部２１０を備えたものとしたが（図４参照）、電子ＰＯＰ装置４０側にこれらを設
けても良い。この場合、電子ＰＯＰ装置４０の分割パターン設定部で設定した分割パター
ンや特定枠ＡＰを示す情報を、電子ＰＯＰサーバ２０に送信し、電子ＰＯＰサーバ２０は
これらを記憶しておく。商品広告情報決定部２９０は、記憶された分割パターン（商品カ
テゴリ別且つ広告時間帯別の分割パターン）に基づいて、特定枠ＡＰを除く各広告枠に表
示するための商品広告情報を決定する。この構成によれば、電子ＰＯＰ装置４０を設置す
る店舗側で、自由に分割パターンや特定枠ＡＰを設定することができる。なお、分割パタ
ーンや特定枠ＡＰの設定は、電子ＰＯＰ装置４０に備えられた設定ボタン４３を押してデ
ィスプレイ４１上に設定画面を表示させ、タッチパネル４２を操作することで行われる。
【００８２】
また、上記の実施形態に示した商品広告システムＳＹ（情報入力装置１０、電子ＰＯＰ
サーバ２０および電子ＰＯＰ装置４０）の各構成要素をプログラムとして提供することが
可能である。また、そのプログラムを各種記録媒体（ＣＤ−ＲＯＭ、フラッシュメモリ等
）に格納して提供することも可能である。すなわち、コンピュータを、商品広告システム
ＳＹの各手段として機能させるためのプログラム、およびそれを記録した記録媒体も、本
発明の権利範囲に含まれる。
【００８３】
その他、商品広告システムＳＹに介在する業者、システム構成、処理工程等について、
本発明の要旨を逸脱しない範囲で、適宜変更が可能である。
【図面の簡単な説明】
【００８４】
【図１】本発明の一実施形態に係る商品広告システムのシステム構成図である。
【図２】電子ＰＯＰ装置の外観斜視図である。
【図３】電子ＰＯＰ装置の制御ブロック図である。
【図４】商品広告システムの機能ブロック図である。
【図５】広告時間帯によって変化する分割パターンの一例を示す図である。
【図６】タイムスケジュールの一例を示す図である。
【図７】商品広告システムの一連の流れを示すフローチャートである。
【図８】電子ＰＯＰ広告権の入札申込み画面の一例を示す図である。
【図９】入札経過情報画面の一例を示す図である。
【図１０】支払い画面および受付完了画面の一例を示す図である。
【符号の説明】
【００８５】
１０…情報入力装置  ２０…電子ＰＯＰサーバ  ３０…店舗サーバ  ４０…電子ＰＯＰ
装置  ４１…ディスプレイ  ４２…タッチパネル  ４３…設定ボタン  ４４…スピーカ  
４５…クーポン発行用プリンタ  Ａ（Ａ１〜Ａ６）…分割表示エリア  ＡＰ…特定枠  Ｃ
…クーポン  ＳＹ…商品広告システム
【図１】
2009294290.tif 000003
【図２】
2009294290.tif 000004
【図３】
2009294290.tif 000005
【図４】
2009294290.tif 000006
【図５】
2009294290.tif 000007
【図６】
2009294290.tif 000008
【図７】
2009294290.tif 000009
【図８】
2009294290.tif 000010
【図９】
2009294290.tif 000011
【図１０】
2009294290.tif 000012